(57)【要約】【課題】着用者の胸元において、ランドセルの肩ベルトに防犯ブザーを吊り下げ状態で装着でき、非常時に防犯ブザーを直につかんで鳴らすのに便利な防犯ブザー用止めバンドを提供する。【解決手段】所定の上下幅を有して左右横長に形成された伸縮自在なバンド本体１と、バンド本体１の内面の左右方向の一端側に設けられた面ファスナー２の雄部材２ｂと、バンド本体１の外面に全面にわたって設けられた面ファスナー２の雌部材２ａと、バンド本体１に防犯ブザー３を取り付けるために、バンド本体１の内面に設けられた止め部材５とを含む。バンド本体１は、ランドセル６の肩ベルト７に巻き付けた状態で面ファスナー２の雌雄部材２ａ・２ｂを介して装着できる。肩ベルト７にバンド本体１を巻き付け装着した状態では、バンド本体１からこれの下方に防犯ブザー３が吊り下げた状態になっている。【選択図】図１
0003105246.tif 000002
【実用新案登録請求の範囲】
【請求項１】
所定の上下幅を有して左右横長に形成された柔軟なバンド本体１と、
バンド本体１の内面の左右方向の一端側に設けられた面ファスナー２の雄部材２ｂと、
バンド本体１の外面の少なくとも左右方向の他端部に設けられて、前記雄部材２ｂが噛合する面ファスナー２の雌部材２ａと、
バンド本体１に防犯ブザー３を取り付けるために、バンド本体１の内面に設けられた止め部材５とを含み、
バンド本体１が、リュックサック６の肩ベルト７に対して面ファスナー２の雌雄部材２ａ・２ｂを介して巻き付け装着可能であり、
肩ベルト７にバンド本体１を巻き付け装着した状態において、バンド本体１からこれの外側下方に防犯ブザー３が吊り下げ状態になるようにしたことを特徴とする防犯ブザー用止めバンド。
【請求項２】
バンド本体１が、外面の全体に面ファスナー２の雌部材２ａが形成されて、左右長手方向に伸縮性を有する合成樹脂製の布地からなる防犯ブザー用止めバンド。
【請求項３】
リュックサック６が、ランドセルである請求項２記載の防犯ブザー用止めバンド。
【考案の詳細な説明】
【技術分野】
【０００１】
本考案は、ランドセルなどのリュックサックの肩ベルトに、防犯ブザーを装着するための防犯ブザー用止めバンドに関する。
【背景技術】
【０００２】
児童のランドセルの肩ベルトに防犯ブザーを着脱自在に装着することは、特許文献１に開示されている。そこでは、小さなバッグ（小物袋）に防犯ブザーを入れ、そのバッグを肩ベルトに着脱自在に装着し、バッグの下方に吊り下げたつまみを引くと、ピンが抜けて防犯ブザーが鳴るようになっている。
【０００３】
【特許文献１】特開２００１−２７５７３２号公報（段落番号００１２〜００１４、図３）
【特許文献２】特許第３０２７５５９号公報（段落番号００１８、図３）
【考案の開示】
【考案が解決しようとする課題】
【０００４】
上記の特許文献１、２では、防犯ブザーをガタ付きなく収める専用のバッグを要し、これから防犯ブザーが不用意に抜け出さないようにする必要があり、バッグ内の防犯ブザーからの音を外へ出すためにも配慮を要する。更に、肩ベルトにバッグこれ自体を着脱するための手段を要する。したがって、専用バッグの製作コストが高く付く。
【０００５】
使い捨ての防犯ブザーを新しく交換する場合や、電池交換の際には、ブザー作動用のつまみ等を専用バッグの底に通すなどの作業が面倒であった。先の専用バッグに新たな防犯ブザーを収納できなかったり、専用バッグ内で防犯ブザーがガタ付くなどの不都合が認められた。
【０００６】
そこで本考案の目的は、ランドセルに代表されるリュックサックの肩ベルトに、簡単にしかも確りと装着できる防犯ブザー用止めバンドを提供するにある。本考案の目的は、ランドセルを着用する低学年の児童でも、非常時には防犯ブザーを誤りなく作動させることができて、使い勝手のよい防犯ブザー用止めバンドを提供することにある。
【０００７】
本考案の目的は、防犯ブザーこれ自体の交換や電池の交換が容易に行える防犯ブザー用止めバンドを提供することにある。本考案の目的は、部材点数が少なくて安価に提供できる防犯ブザー用止めバンドを提供することにある。
【課題を解決するための手段】
【０００８】
本考案に係る防犯ブザー用止めバンドは、所定の上下幅を有して左右横長に形成された柔軟なバンド本体１と、バンド本体１の内面の左右方向の一端側に設けられた面ファスナー２の雄部材２ｂと、バンド本体１の外面の少なくとも左右方向の他端部に設けられて、前記雄部材２ｂが噛合する面ファスナー２の雌部材２ａと、バンド本体１に防犯ブザー３を取り付けるために、バンド本体１の内面に設けられた止め部材５とを備えている。ここでの面ファスナー２とは、ベルベット式ファスナーを意味する。
【０００９】
そのバンド本体１は、リュックサック６の肩ベルト７に巻き付けた状態で面ファスナー２の雌雄部材２ａ・２ｂを介して装着可能であり、肩ベルト７にバンド本体１を巻き付け装着した状態において、バンド本体１からこれの下方に防犯ブザー３が吊り下げ状態になる。
【００１０】
ここでのリュックサック６とは、児童が用いるランドセルに代表されるが、食料・衣類・装備などを入れて背負う袋を広く意味する。
【００１１】
バンド本体１は、外面の全体に面ファスナー２の雌部材２ａが形成されて、左右長手方向に伸縮性を有する合成樹脂製の布地を用いることができる。
【考案の効果】
【００１２】
請求項１記載の本考案に係る防犯ブザー用止めバンドによれば、バンド本体１の内側に防犯ブザー３を包み込んだ状態で嵩張ることなく、防犯ブザー３を外部衝撃から保護して流通の場に供し得るし、その状態で不使用時には防犯ブザー３を保管しておける。
【００１３】
使用に際しては、バンド本体１を左右横長状態に展開してバンド本体１の外側に防犯ブザー３を出しておく。次に、リュックサック６の肩ベルト７にバンド本体１を一巻き状態に巻き付けて面ファスナー２の雌雄部材２ａ・２ｂでバンド本体１を肩ベルト７に巻き付け装着する。バンド本体１は左右横長に形成され、かつ面ファスナー２を用いて止着するので、肩ベルト７のベルト幅の大小にかかわらず肩ベルト７にバンド本体１を手軽にかつ容易確実に巻き付け装着できる。
【００１４】
使用者は、身体の前面側においてリュックサック６の肩ベルト７に防犯ブザー３をこれが下方へ吊り下がるように装着でき、しかも防犯ブザー３これ自体が引き手となる。したがって、非常時には開いた手で防犯ブザー３を直接つかんで下方に引けば、防犯ブザー３が作動して警報音を発することになり、低学年の児童でも非常事態によく対応できて使い勝手がよい。そのとき、防犯ブザー３はバンド本体１外に剥き出し状態になっているので、ブザー音が遮られることもない。
【００１５】
本考案では、防犯ブザー３を専用のバッグに収納するタイプではないから、少なくともベルト本体１を左右に展開するだけで、防犯ブザー３を新たに交換できるし、これに対する電池の交換も容易に行える。
【００１６】
防犯ブザー３は、バンド本体１側の止め部材５にチョン掛けするなどして取り付けるだけであるから、防犯ブザー３の形態の如何にかかわらず、本考案の止めバンドに防犯ブザー３を組み合わせることができる。つまり、本考案の止めバンドを入手すれば、使用者は自ら求めた好みの防犯ブザー３でもバンド本体１へ手軽に装着して使用できることにもなる。
【００１７】
とくに本考案によれば、バンド本体１に面ファスナー２の雌雄部材２ａ・２ｂと止め部材５とを付設するだけでよい。このうち、例えば、外面の全体に面ファスナー２の雌部材２ａが形成されたバンド本体１と、防犯ブザー３とは市販のものを用いることができ、その場合は、バンド本体１に面ファスナー２の雄部材２ｂと止め部材５とを付設するだけでよく、防犯ブザー用止めバンドを安価に提供できる。
【００１８】
請求項２記載の本考案に係る防犯ブザー用止めバンドによれば、バンド本体１が左右方向に伸縮性を有しているので、幅寸法が種々に異なる肩ベルト７にもよく対応でき、かつ弾性復元力によって肩ベルト７にこれの素材に影響を受けずに確りと取り付けることができる。
【考案を実施するための最良の形態】
【００１９】
（実施例１）  図１ないし図３は本考案に係る防犯ブザー用止めバンドの実施例１を示しており、所定の上下幅を有して左右横長に形成された柔軟なバンド本体１の内面の左右方向の一端側に、面ファスナー２の雄部材２ｂが設けられ、バンド本体１の外面の全体に面ファスナー２の雌部材２ａが形成されている。バンド本体１の内面の左右方向中央において、下端に防犯ブザー３を吊持するための止め部材５が設けられており、この止め部材５に防犯ブザー３を取り付けることができる。
【００２０】
バンド本体１は、多数本の糸状ゴムが平行に編み込まれていることにより左右方向に伸縮性を有する合成樹脂製の布地からなり、外表面に雌部材２ａが予め一体に形成された市販の面ファスナー生地を定尺切断して得た。これの上下幅は約３cm、左右長さは約１2.５cmとした。
【００２１】
止め部材５は、二つ折りされて両端をバンド本体１側に縫い付けた帯布５ａと、この帯布５ａの輪に挿通した止めリング５ｂとを含み、止めリング５ｂに連結金具９を介して防犯ブザー３が取り付けられている。図示例の帯布５ａは、折り返し両端を上向きにしてバンド本体１の下方に突出するようにした。
【００２２】
防犯ブザー３は、電池を内蔵するブザー本体３ａの上端に作動ピン１０を備えており、この作動ピン１０を引くことによって通電回路の遮断が解かれてブザー音を発する公知のものである。先の連結金具９は、止めリング５ｂと作動ピン１０とを連結している。
【００２３】
本考案に係る防犯ブザー用止めバンドは、図２に示すごとく、ランドセル６の肩ベルト７に対して、着用者の身体の前側に位置する部位に装着することを予測している。
【００２４】
すなわち、本考案に係る防犯ブザー用止めバンドの使用に際しては、防犯ブザー３付きのバンド本体１を展開状態にしたのち、肩ベルト７の外周に巻き付け、面ファスナー２の雌雄部材２ａ・２ｂで肩ベルト７に巻き付け装着する。この際、バンド本体１は、左右方向に伸張させて巻き付け装着すると、バンド本体１を肩ベルト７に確りとズレ動くことなく固定できる。
【００２５】
これによれば、ランドセル６の着用者の身体の前側において肩ベルト７に防犯ブザー３がぶら下がった状態になる。したがって低学年の児童でも、緊急時には防犯ブザー３をつかんで下方に引きさえすれば、相対的に作動ピン１０が引き上げられて防犯ブザー３が作動して警報音を発する。
【００２６】
（実施例２）  図４は本考案に係る防犯ブザー用止めバンドの実施例２を示しており、バンド本体１が、左右長手方向に伸縮性を有する合成樹脂製の布地からなり、図において右半部の外面側に面ファスナー２の雌部材２ａが、内面側の左端に面ファスナー２の雄部材２ｂがそれぞれ縫着されている。これにより、バンド本体１は面ファスナー２の雌部材２ａと雄部材２ｂとの間が左右方向に伸縮自在である。
【００２７】
そのうえで、バンド本体１の左右方向の中央部位において、前記帯布５ａの折り返した輪部分がバンド本体１の上方に突出するようにして、前記肩ベルト７に前述の要領でバンド本体１を巻き付け装着すると、止めリング５ｂおよび連結金具９がバンド本体１の内側で肩ベルト７との間に挟持され、作動ピン１０を含む防犯ブザー３がバンド本体１の下方にぶら下がる、使用形態になるようにした。かかる使用形態によれば、防犯ブザー３がバンド本体１の下方に長く垂れ下がることがなく、肩ベルト７の装着位置の直下に防犯ブザー３を邪魔になることなく装着できる。
【００２８】
（その他の実施例）  図示例の全容は以上のようになっているが、実施例１において、面ファスナー２はバンド本体１の内面の左端部に雄部材２ｂを設けたとき、バンド本体１の外面の右端部を限って雌部材２ａが設けられていてもよい。防犯ブザー３は作動ピン１０がこれを引くと抜け外れるものでもよいし、ブザー本体３ａに備えた押しボタンでスイッチオンになるものでもよい。
【００２９】
図示例の連結金具９は、使用者がバンド本体１に防犯ブザー３を交換目的などで後付け可能となるよう、防犯ブザー３を着脱自在に取り付けられるようにした。しかし、バンド本体１に防犯ブザー３を不離一体に取り付けておくことも本考案の予測の範囲内にある。その場合には、止め部材５の帯布５ａに防犯ブザー３を直付けして、止めリング５ｂおよび連結金具９を省略して部材点数の削減化を図ることができる。
【００３０】
すなわち、本考案の止め部材５は、バンド本体１に防犯ブザー３を好ましくは着脱自在に取り付けられるものであればよく、その具体的な形態は問わない。
【図面の簡単な説明】
【００３１】
【図１】本考案に係る防犯ブザー用止めバンドの実施例１の斜視図
【図２】実施例１のランドセルの斜視図
【図３】実施例１の防犯ブザー用止めバンドをランドセルに装着した状態での要部の横断平面図
【図４】本考案に係る防犯ブザー用止めバンドの実施例２の斜視図
【符号の説明】
【００３２】
１  バンド本体
２  面ファスナー
２ａ  面ファスナーの雌部材
２ｂ  面ファスナーの雄部材
３  防犯ブザー
５  止め部材
６  リュックサック
７  肩ベルト
【図１】
0003105246.tif 000003
【図２】
0003105246.tif 000004
【図３】
0003105246.tif 000005
【図４】
0003105246.tif 000006